(57)【要約】【課題】視野角制限素子の基板内面の配向処理を簡単にした製造の容易な視野角可変型の液晶表示装置を提供する。【解決手段】広視野角の画像表示用液晶表示素子１１と、液晶分子を画像表示用液晶表示素子１１の法線方向に対して左方向に傾いた方向に視野角を有する配向状態に配向させた液晶層２４を挟んで対向する一対の基板２２，２３の内面それぞれに予め定めた形状の電極２５，２６が設けられた第１の視野角制限素子１２と、液晶分子を画像表示用液晶表示素子１１の法線方向に対して右方向に傾いた方向に視野角を有する配向状態に配向させた液晶層２７を挟んで対向する一対の基板２８，２９の内面それぞれに予め定めた形状の電極３１，３２が設けられた第２の視野角制限素子１３とを備えた。【選択図】図２
2006330164.tif 000002
【特許請求の範囲】
【請求項１】
光の透過を制御する複数の画素をマトリックス状に配列した画面領域を有する広視野角の画像表示用液晶表示素子と、
前記画像表示用液晶表示素子の一方の面に重ねて配置され、間隙を存して対向する一対の基板間に、液晶分子を前記画像表示用液晶表示素子の法線方向に対して一方の方向に傾いた方向に視野角を有する配向状態に配向させた液晶層が設けられ、前記一対の基板の互いに対向する内面それぞれに、予め定めた形状の電極が設けられた第１の視野角制限素子と、
前記画像表示用液晶表示素子と前記第１の視野角制限素子との積層体の一方の面に重ねて配置され、間隙を存して対向する一対の基板間に、液晶分子を前記画像表示用液晶表示素子の法線方向に対して前記第１の視野角制限素子の視野角とは反対方向に傾いた方向に視野角を有する配向状態に配向させた液晶層が設けられ、前記一対の基板の互いに対向する内面それぞれに、予め定めた形状の電極が設けられた第２の視野角制限素子とを備えたことを特徴とする液晶表示装置。
【請求項２】
光の透過を制御する複数の画素をマトリックス状に配列した画面領域を有する広視野角の画像表示用液晶表示素子と、
前記画像表示用液晶表示素子の一方の面に重ねて配置され、間隙を存して対向する一対の基板間に、液晶分子を前記画像表示用液晶表示素子の法線方向に対して一方の方向に傾いた方向に視野角を有し、且つその方向とは反対方向に傾いた方向に沿った透過光を着色する配向状態に配向させた液晶層が設けられ、前記一対の基板の互いに対向する内面それぞれに、予め定めた形状の電極が設けられた視野角制限素子とを備えたことを特徴とする液晶表示装置。
【請求項３】
視野角制限素子は、一対の基板の内面それぞれに、画像表示用液晶表示素子の画面全体または前記画面の大部分の領域に対応する形状の一枚膜状の電極を有していることを特徴とする請求項１または２に記載の液晶表示装置。
【請求項４】
視野角制限素子は、一対の基板の一方の内面に、画像表示用液晶表示素子の画面に対応する領域に分布させて形成された予め定めた形状の複数のパターン電極を有し、他方の基板の内面に、前記複数のパターン電極に対向する対向電極を有していることを特徴とする請求項１または２に記載の液晶表示装置。
【発明の詳細な説明】
【技術分野】
【０００１】
この発明は、表示画像の視野角を広視野角と狭視野角とに切換えることができる視野角可変型の液晶表示装置に関する。
【背景技術】
【０００２】
視野角を制限することができる視野角制限型液晶表示装置としては、従来、光の透過を制御する複数の画素をマトリックス状に配列した画面領域を有する広視野角の画像表示用液晶表示素子と、この画像表示用液晶表示素子の一方の面に重ねて視野角制限素子を配置したものが知られている。
【０００３】
前記視野角制限素子は、間隙を存して対向する一対の基板の内面に、前記画像表示用液晶表示素子の画面に対応する領域を複数に区分した各区分領域毎に配向処理の方向を異ならせた配向膜を設け、前記一対の基板間に封入された液晶層の液晶分子を、前記それぞれの区分領域毎に、前記画像表示用液晶表示素子の法線方向に対して一方の方向に傾いた方向に視野角を有する配向状態と、その方向とは反対方向に傾いた方向に視野角を有する配向状態とにそれぞれ配向させ、前記一対の基板の互いに対向する内面それぞれに前記区分領域に対応させて予め定めた形状の電極を設けた構成となっている。視野角（特許文献１参照）。
【０００４】
この視野角制限型液晶表示装置は、前記画像表示用液晶表示素子の表示画像視野角を、前記視野角制限素子の電極間への電圧の印加により、斜め方向からの視認性を低下させることによって視野角を制限する視野角視野角ものであり、前記視野角制限素子の電極間に電圧を印加しないとき、つまり前記視野角制限素子が無表示状態のときは、前記画像表示用液晶表示素子の表示画像が広視野角で見えるのに対し、前記視野角制限素子の電極間に電圧を印加すると、前記画像表示用液晶表示素子の法線方向に対して一方の方向に傾いた方向及びその反対方向に傾いた方向から見たときに、前記画像表示用液晶表示素子の表示画像が、前記視野角制限素子の一方の方向に傾いた方向に視野角を有する各区分領域の表示及び反対方向に傾いた方向に視野角を有する各区分領域の前記予め定めた形状の電極に対応する表示により隠されるため、前記一方の方向及び反対方向に傾いた方向からは前記画像表示用液晶表示素子の表示画像を認識することができなくなり、前記表示画像の視野角が見かけ上制限され、前記表示画像の視野角が狭くなる。
【特許文献１】特開２０００−１３３３３４号公報
【発明の開示】
【発明が解決しようとする課題】
【０００５】
しかし、上記従来の視野角制限型液晶表示装置は、前記視野角制限素子の液晶層の液晶分子を、前記各区分領域毎に異なる視野角視野角配向状態に配向させる視野角ために、前記視野角制限素子の一対の基板の内面に、前記各区分領域毎に方向を異ならせた複雑な配向処理（配向膜のラビング処理）を施さなければならず、そのために、製造が難しいという問題をもっている。
【０００６】
この発明は、視野角制限素子の基板内面の配向処理を簡単にした製造の容易な視野角可変型の液晶表示装置を提供することを目的としたものである。
【課題を解決するための手段】
【０００７】
この発明の液晶表示装置は、光の透過を制御する複数の画素をマトリックス状に配列した画面領域を有する広視野角の画像表示用液晶表示素子と、前記画像表示用液晶表示素子の一方の面に重ねて配置され、間隙を存して対向する一対の基板間に、液晶分子を前記画像表示用液晶表示素子の法線方向に対して一方の方向に傾いた方向に視野角を有する配向状態に配向させた液晶層が設けられ、前記一対の基板の互いに対向する内面それぞれに、予め定めた形状の電極が設けられた第１の視野角制限素子と、前記画像表示用液晶表示素子と前記第１の視野角制限素子との積層体の一方の面に重ねて配置され、間隙を存して対向する一対の基板間に、液晶分子を前記画像表示用液晶表示素子の法線方向に対して前記第１の視野角制限素子の視野角とは反対方向に傾いた方向に視野角を有する配向状態に配向させた液晶層が設けられ、前記一対の基板の互いに対向する内面それぞれに、予め定めた形状の電極が設けられた第２の視野角制限素子とを備えたことを特徴とする。
【０００８】
また、この発明の他の液晶表示装置は、光の透過を制御する複数の画素をマトリックス状に配列した画面領域を有する広視野角の画像表示用液晶表示素子と、前記画像表示用液晶表示素子の一方の面に重ねて配置され、間隙を存して対向する一対の基板間に、液晶分子を前記画像表示用液晶表示素子の法線方向に対して一方の方向に傾いた方向に視野角を有し、且つその方向とは反対方向に傾いた方向に沿った透過光を着色する配向状態に配向させた液晶層が設けられ、前記一対の基板の互いに対向する内面それぞれに、予め定めた形状の電極が設けられた視野角制限素子とを備えたことを特徴とする。
【０００９】
この発明の各液晶表示装置において、前記視野角制限素子は、前記一対の基板の内面それぞれに、前記画像表示用液晶表示素子の画面全体または前記画面の大部分の領域に対応する形状の一枚膜状の電極を有しているのが望ましい。
【００１０】
また、この発明の各液晶表示装置において、前記視野角制限素子は、前記一対の基板の一方の内面に、前記画像表示用液晶表示素子の画面に対応する領域に分布させて形成された予め定めた形状の複数のパターン電極を有し、他方の基板の内面に、前記複数のパターン電極に対向する対向電極を有しているのが望ましい。
【発明の効果】
【００１１】
この発明の液晶表示装置は、広視野角の画像表示用液晶表示素子と、一対の基板間に、液晶分子を前記画像表示用液晶表示素子の法線方向に対して一方の方向に傾いた方向に視野角を有する配向状態に配向させた液晶層が設けられ、前記一対の基板の内面それぞれに予め定めた形状の電極が設けられた第１の視野角制限素子と、一対の基板間に、液晶分子を前記画像表示用液晶表示素子の法線方向に対して前記第１の視野角制限素子の視野角とは反対方向に傾いた方向に視野角を有する配向状態に配向させた液晶層が設けられ、前記一対の基板の内面それぞれに予め定めた形状の電極が設けられた第２の視野角制限素子とを互いに重ねて配置することにより、前記画像表示用液晶表示素子の表示画像の視野角を、前記第１と第２の視野角制限素子の電極間への電圧の印加により広視野角から狭視野角に切換えるようにしたものである。
【００１２】
すなわち、この液晶表示装置は、前記第１と第２の視野角制限素子の電極間に電圧を印加しないとき、つまり前記第１と第２の視野角制限素子の両方が無表示状態のときは、前記画像表示用液晶表示素子の表示画像が広視野角で見える。
【００１３】
一方、前記第１と第２の視野角制限素子の電極間にそれぞれ電圧を印加すると、前記画像表示用液晶表示素子の法線方向に対して一方の方向に傾いた方向から見たときに、前記画像表示用液晶表示素子の表示画像が、前記一方の方向に傾いた方向に視野角を有する前記第１の視野角制限素子の表示により隠され、その反対方向に傾いた方向から見たときに、前記画像表示用液晶表示素子の表示画像が、前記反対方向に傾いた方向に視野角を有する前記第２の視野角制限素子の表示により隠されるため、前記一方の方向及び反対方向に傾いた方向からは前記画像表示用液晶表示素子の表示画像を認識することができなくなり、前記表示画像の視野角の範囲が狭くなる。
【００１４】
そのため、この液晶表示装置によれば、前記画像表示用液晶表示素子の表示画像の視野角を広視野角と狭視野角とに切換えることができる。
【００１５】
そして、この液晶表示装置は、前記第１の視野角制限素子の液晶層の液晶分子を、前記画像表示用液晶表示素子の法線方向に対して一方の方向に傾いた方向に視野角を有する配向状態に配向させ、前記第２の視野角制限素子の液晶層の液晶分子を、前記画像表示用液晶表示素子１１の法線方向に対して前記第１の視野角制限素子の視野角とは反対方向に傾いた方向に視野角を有する配向状態に配向させているため、前記第１及び第２の視野角制限素子の基板内面の配向処理は簡単な一方向ラビングでよく、したがって容易に製造することができる。
【００１６】
この液晶表示装置において、前記第１と第２の視野角制限素子は、前記一対の基板の内面それぞれに、前記画像表示用液晶表示素子の画面全体または前記画面の大部分の領域に対応する形状の一枚膜状の電極を有しているのが望ましく、このようにすることにより、前記一方の方向及び反対方向に傾いた方向からは前記画像表示用液晶表示素子の表示画像の全部または大部分を認識できない狭視野角表示を行なうことができる。
【００１７】
また、この液晶表示装置において、前記第１と第２の視野角制限素子は、前記一対の基板の一方の内面に、前記画像表示用液晶表示素子の画面に対応する領域に分布させて形成された予め定めた形状の複数のパターン電極を有し、他方の基板の内面に、前記複数のパターン電極に対向する対向電極を有しているのが望ましく、このようにすることにより、前記一方の方向及び反対方向に傾いた方向からは前記画像表示用液晶表示素子の表示画像を部分的にしか認識できない狭視野角表示を行なうことができる。
【００１８】
この発明の他の液晶表示装置は、広視野角の画像表示用液晶表示素子と、一対の基板間に、液晶分子を前記画像表示用液晶表示素子の法線方向に対して一方の方向に傾いた方向に視野角を有し、且つその方向とは反対方向に傾いた方向に沿った透過光を着色する配向状態に配向させた液晶層が設けられ、前記一対の基板の互いに対向する内面それぞれに、予め定めた形状の電極が設けられた視野角制限素子とを互いに重ねて配置することにより、前記画像表示用液晶表示素子の表示画像の視野角を、前記視野角制限素子の電極間への電圧の印加により広視野角から狭視野角に切換えるようにしたものである。
【００１９】
すなわち、この液晶表示装置は、前記視野角制限素子の電極間に電圧を印加しないとき、つまり前記視野角制限素子が無表示状態のときは、前記画像表示用液晶表示素子の表示画像が広視野角で見える。
【００２０】
一方、前記視野角制限素子の電極間に電圧を印加すると、前記画像表示用液晶表示素子の法線方向に対して一方の方向に傾いた方向から見たときに、前記画像表示用液晶表示素子の表示画像が、前記一方の方向に傾いた方向に視野角を有する前記視野角制限素子の表示により隠され、その反対方向に傾いた方向から見たときに、前記画像表示用液晶表示素子の表示画像が、前記視野角制限素子を透過して着色した光により、その色のカラーフィルタを重ねて見たときと同様に隠されるため、前記一方の方向及び反対方向に傾いた方向からは前記画像表示用液晶表示素子の表示画像を認識することができなくなり、前記表示画像の視野角の範囲が狭くなる。
【００２１】
そのため、この液晶表示装置によれば、前記画像表示用液晶表示素子の表示画像の視野角を広視野角と狭視野角とに切換えることができる。
【００２２】
そして、この液晶表示装置は、前記視野角制限素子の液晶層の液晶分子を、前記画像表示用液晶表示素子の法線方向に対して一方の方向に傾いた方向に視野角を有する配向状態に配向させているため、前記視野角制限素子の基板内面の配向処理は簡単な一方向ラビングでよく、したがって容易に製造することができる。
【００２３】
この液晶表示装置において、前記視野角制限素子は、前記一対の基板の内面それぞれに、前記画像表示用液晶表示素子の画面全体または前記画面の大部分の領域に対応する形状の一枚膜状の電極を有しているのが望ましく、このようにすることにより、前記一方の方向及び反対方向に傾いた方向からは前記画像表示用液晶表示素子の表示画像の全部または大部分を認識できない狭視野角表示を行なうことができる。
【００２４】
また、この液晶表示装置において、前記視野角制限素子は、前記一対の基板の一方の内面に、前記画像表示用液晶表示素子の画面に対応する領域に分布させて形成された予め定めた形状の複数のパターン電極を有し、他方の基板の内面に、前記複数のパターン電極に対向する対向電極を有しているのが望ましく、このようにすることにより、前記一方の方向及び反対方向に傾いた方向からは前記画像表示用液晶表示素子の表示画像を部分的にしか認識できない狭視野角表示を行なうことができる。
【発明を実施するための最良の形態】
【００２５】
（第１の実施形態）
図１〜図５はこの発明の第１の実施例を示しており、図１は液晶表示装置を備えた電子機器の正面図、図２は前記液晶表示装置の一部分の断面図である。
【００２６】
図１に示した電子機器は、電話機本体１と、基端を前記電話機本体１の先端に枢支され、図のように電話機本体１の外方に張出された開状態と前記電話機本体１の上に重ねられた閉状態とに開閉回動される蓋体２とからなり、電話機本体１の前面（蓋体２の重なり面）に、キーボード部３及びマイク部４が設けられ、前記蓋体２の前面（折りたたみ時に電話機本体１の前面に対向する面）に、表示部５及びスピーカ部６が設けられた折りたたみ型携帯電話機であり、前記蓋体２内に前記表示部５に対向させて液晶表示装置１０が配置され、その後側に面光源（図示せず）が配置されている。
【００２７】
前記液晶表示装置１０は、図２に示したように、光の透過を制御する複数の画素をマトリックス状に配列した画面領域を有する広視野角の画像表示用液晶表示素子１１と、前記画像表示用液晶表示素子１１の一方の面に重ねて配置された第１の視野角制限素子１２と、前記画像表示用液晶表示素子１１と第１の視野角制限素子１２との積層体の一方の面に重ねて配置された第２の視野角制限素子１３とを備えている。
【００２８】
この実施例の液晶表示装置１０は、前記画像表示用液晶表示素子１１の後側（観察側とは反対側）に前記第１の視野角制限素子１２を配置し、この第１の視野角制限素子１２の後側に第２の視野角制限素子１３を配置したものであり、画像表示用液晶セル１４と、前記画像表示用液晶セル１４の後側に配置された第１の視野角制限用液晶セル２１と、前記第１の視野角制限用液晶セル２１の後側に配置された第２の視野角制限用液晶セル２７と、前記画像表示用液晶セル１４の前側（観察側）に配置された第１の偏光板３３と、前記画像表示用液晶セル１４と第１の視野角制限用液晶セル２１との間に配置された第２の偏光板３４と、前記第１の視野角制限用液晶セル２１と第２の視野角制限用液晶セル２７との間に配置された第３の偏光板３５と、前記第２の視野角制限用液晶セル２７の後側に配置された第４の偏光板３６とからなっている。
【００２９】
そして、前記画像表示用液晶表示素子１１は、前記画像表示用液晶セル１４と、その前側と後側に配置された前記第１と第２の偏光板３３，３４とにより構成され、前記第１の視野角制限素子１２は、前記第１の視野角制限用液晶セル２１と、その前側と後側に配置された前記第２と第３の偏光板３４，３５とにより構成され、前記第２の視野角制限素子１３は、前記第２の視野角制限用液晶セル２７と、その前側と後側に配置された前記第３と第４の偏光板３５，３６とにより構成されている。
【００３０】
前記画像表示用液晶セル１４は、図示しない枠状のシール材を介して接合された間隙を存して対向する一対の透明基板１５，１６間の前記シール材で囲まれた領域に液晶層１７が設けられ、前記一対の基板１５，１６の互いに対向する内面それぞれに、互いに対向する領域によりマトリックス状に配列する複数の画素を形成する透明電極１８，１９が設けられた時分割駆動セルからなっている。
【００３１】
この画像表示用液晶セル１４は、一方の基板、例えば表示の観察側である前側の基板１５の内面に、複数の画素電極１８が行方向及び列方向にマトリックス状に配列させて設けられ、他方の基板、つまり後側基板１６の内面に、前記複数の画素電極１８の配列領域に対向する一枚膜状の対向電極１９が設けられたアクティブマトリックス液晶セルであり、図２では省略しているが、前記前側の基板１５の内面に、前記複数の画素電極１８にそれぞれ接続されたＴＦＴ（薄膜トランジスタ）からなるアクティブ素子と、各行のＴＦＴにゲート信号を供給する複数本のゲート配線と、各列のＴＦＴにデータ信号を供給する複数本のデータ配線が設けられている。
【００３２】
また、この画像表示用液晶セル１４は、前記複数の画素電極１８と対向電極１９とが互いに対向する領域からなる複数の画素にそれぞれ対応する赤、緑、青の３色のカラーフィルタ２０Ｒ，２０Ｇ，２０Ｂを備えており、これらのカラーフィルタ２０Ｒ，２０Ｇ，２０Ｂは、例えば後側基板１６の基板面上に形成され、その上に前記対向電極１９が形成されている。
【００３３】
前記画像表示用液晶表示素子１１は、例えばＴＮ（ツイステッドネマティック）型液晶表示素子であり、前記画像表示用液晶セル１４の一対の基板１５，１６の内面は、前記電極１８，１９を覆って設けられた図示しない水平配向膜をそれぞれ実質的に互いに直交する方向に一方向ラビングすることにより配向処理されており、前記液晶層１７の液晶分子は、前記一対の基板１５，１６の近傍における配向方向をそれぞれの基板内面の配向処理方向により規定され、両基板１５，１６間において実質的に９０°の捩れ角でツイスト配向している。
【００３４】
また、前記第１と第２の視野角制限用液晶セル２１，２７はそれぞれ、図示しない枠状のシール材を介して接合された間隙を存して対向する一対の透明基板２２，２３間及び２８，２９間の前記シール材で囲まれた領域に液晶層２４，３０が設けられ、前記一対の基板２２，２３及び２８，２９の互いに対向する内面それぞれに、予め定めた形状の透明電極２５，２６及び３１，３２が設けられたスタティック駆動セルであり、この実施例では、前記第１の視野角制限用液晶セル２１の一対の基板２２，２３の内面の電極２５，２６と、前記第２の視野角制限用液晶セル２７の一対の基板２８，２９の内面の電極３１，３２とをそれぞれ、前記画像表示用液晶表示素子１１の画面全体に対応する形状の一枚膜状に形成している。
【００３５】
そして、この液表示素子装置では、前記第１の視野角制限素子１２の液晶層２４の液晶分子を、前記画像表示用液晶表示素子１１の法線方向に対して一方の方向に傾いた方向に視野角を有する配向状態に配向させ、前記第２の視野角制限素子１３の液晶層３０の液晶分子を、前記画像表示用液晶表示素子１１の法線方向に対して前記第１の視野角制限素子１２の視野角とは反対方向に傾いた方向に視野角を有する配向状態に配向させている。
【００３６】
前記第１と第２の視野角制限素子１２，１３はそれぞれ、例えばＴＮ型液晶表示素子であり、前記第１及び第２の視野角制限用液晶セル２１，２７の一対の基板２２，２３及び２８，２９の内面は、前記電極２５，２６及び３１，３２を覆って設けられた図示しない水平配向膜をそれぞれ実質的に互いに直交する方向に一方向ラビングすることにより配向処理されており、前記液晶層２４，３０の液晶分子は、前記一対の基板２２，２３及び２８，２９の近傍における配向方向をそれぞれの基板内面の配向処理方向により規定され、両基板２２，２３間及び２８，２９間において実質的に９０°の捩れ角でツイスト配向している。
【００３７】
図３は、前記画像表示用液晶表示素子１１と第１及び第２の視野角制限素子１２，１３の基板内面の配向処理方向（配向膜のラビング方向）と前記第１〜第４の各偏光板３３，３４，３５，３６の吸収軸の向きを示す図であり、１５ａ，１６ａは前記画像表示用液晶セル１４の前側基板１５と後側基板１６の配向処理方向、２２ａ，２３ａは前記第２の視野角制限用液晶セル２１の前側基板２２と後側基板２３の配向処理方向、２８ａ，２９ａは前記第２の視野角制限用液晶セル２７の前側基板２８と後側基板２９の配向処理方向、３３ａ，３４ａ，３５ａ，３６ａは前記各偏光板３３，３４，３５，３６の吸収軸を示している。
【００３８】
図３のように、前記画像表示用液晶セル１４の前側基板１５は、前記画像表示用液晶表示素子１１の画面の横軸（図示せず）に対して前側から見て前記画面の右上方向に略４５°ずれた方向に配向処理され、後側基板１６は、前記画面の横軸に対して前側から見て前記画面の右下方向に略４５°ずれた方向に配向処理されており、この画像表示用液晶セル１４の液晶層１７の液晶分子は、そのツイスト方向を図に円弧矢印で示したように、前記画面の右下方向から左下方向に向かって実質的に９０°の捩れ角でツイスト配向している。
【００３９】
前記画像表示用液晶表示素子１１は、前記画面の正面方向（画面の法線方向）を中心として前記画面の左右方向にそれぞれ略同じ角度傾いた角度範囲の広い視野角を有している。
【００４０】
一方、前記第１の視野角制限用液晶セル２１の前側基板２２は、前記画面の横軸に対して前側から見て前記画面の右下方向に略４５°ずれた方向（画像表示用液晶セル１４の後側基板１６の配向処理方向１６ａと実質的に同じ方向）に配向処理され、後側基板２３は、前記画面の横軸に対して前側から見て前記画面の左下方向に略４５°ずれた方向に配向処理されており、この第１の視野角制限用液晶セル２１の液晶層２４の液晶分子は、そのツイスト方向を図に円弧矢印で示したように、前記画面の左下方向から左上方向に向かって実質的に９０°の捩れ角でツイスト配向している。
【００４１】
そのため、前記第１の視野角制限素子１２は、前記画面の正面方向、つまり前記画像表示用液晶表示素子１１の法線方向に対して前側から見て左方向に傾いた方向に視野角を有している。
【００４２】
また、前記第２の視野角制限用液晶セル２７の前側基板２８は、前記画面の横軸に対して前側側から見て前記画面の左上方向に略４５°ずれた方向（第１の視野角制限用液晶セル２１の後側基板２３の配向処理方向２３ａと実質的に直交する方向）に配向処理され、後側基板２９は、前記画面の横軸に対して前側から見て前記画面の右上方向に略４５°ずれた方向に配向処理されており、この第２の視野角制限用液晶セル２７の液晶層３０の液晶分子は、そのツイスト方向を図に円弧矢印で示したように、前記画面の右上方向から右下方向に向かって実質的に９０°の捩れ角でツイスト配向している。
【００４３】
そのため、前記第２の視野角制限素子１３は、前記画像表示用液晶表示素子１１の法線方向（画面の正面方向）に対して、前記第１の視野角制限素子１２の視野角とは反対方向、つまり前側から見て右方向に傾いた方向に視野角を有している。
【００４４】
また、この実施例の液晶表示装置１０は、前記画像表示用液晶表示素子１１と前記第１と第２の視野角制限素子１２，１３をそれぞれノーマリーホワイトモードとしたものであり、前記画像表示用液晶セル１４の前側の第１の偏光板３３は、その吸収軸３３ａを前記画像表示用液晶表示素子１１の前側基板１５の配向処理方向１５ａと実質的に平行または直交（図３では平行）させて配置され、前記画像表示用液晶セル１４と第１の視野角制限用液晶セル２１との間に配置された第２の偏光板３４は、その吸収軸３４ａを前側の第１の偏光板３３の吸収軸３３ａに対して実質的に直交させて配置され、前記第１の視野角制限用液晶セル２１と第２の視野角制限用液晶セル２７との間に配置された第３の偏光板３５は、その吸収軸３５ａを前側の第２の偏光板３４の吸収軸３４ａに対して実質的に直交させて配置され、前記第２の視野角制限用液晶セル２７の後側に配置された第４の偏光板３６は、その吸収軸３６ａを前側の第３の偏光板３５の吸収軸３５ａに対して実質的に直交させて配置されている。
【００４５】
そして、前記画像表示用液晶表示素子１１の液晶の複屈折異方性Δｎと液晶層厚ｄとの積Δｎｄの値は、例えば４４０〜５００ｎｍ、好ましくは４７６ｎｍに設定されており、この画像表示用液晶表示素子１１は、図示しない駆動回路により、前記画像表示用液晶セル１４の各画素の電極１８，１９間に画像データに応じた実質的に０Ｖ〜約５Ｖの範囲の複数諧調の電圧を印加されて画像を表示する。
【００４６】
一方、前記第１と第２の視野角制限素子１２，１３のΔｎｄの値はそれぞれ、前記画像表示用液晶表示素子１１のΔｎｄよりも大きい値、例えば前記画像表示用液晶表示素子１１のΔｎｄの約１．１〜４倍に設定されている。この第１と第２の視野角制限素子１２，１３のΔｎｄの値は、５００〜２０００ｎｍ、好ましくは約１０００ｎｍである。
【００４７】
この第１と第２の視野角制限素子１２，１３はそれぞれ、前記視野角制限用液晶セル２１，２７の電極２５，２６間及び３１，３２間に約２Ｖの電圧を印加したときに、正面方向から見た表示が黒になる。
【００４８】
前記第１と第２の視野角制限素子１２，１３は、図示しない視野角切換用駆動回路により、前記視野角制限用液晶セル２１，２７の電極２５，２６間及び３１，３２間に、表示が実質的に黒になる電圧（約２Ｖ）の１／２程度、つまり約１Ｖに設定された一定値の電圧を印加して駆動される。
【００４９】
なお、前記視野角切換用駆動回路は、例えば、図１に示した携帯電話機の蓋体２または電話機本体１に設けられた視野角選択キー７により広視野角が選択されたときは、前記第１と第２の視野角制限用液晶セル２１，２７の電極２５，２６間及び３１，３２間に電圧を印加せず、狭視野角が選択されたときに、前記第１と第２の視野角制限用液晶セル２１，２７の電極２５，２６間及び３１，３２間に前記約１Ｖの一定値電圧を印加するように構成されている。
【００５０】
すなわち、第１と第２の視野角制限素子１２，１３は、前記電極２５，２６間及び３１，３２間に前記約１Ｖの一定値電圧を印加することにより、液晶分子を基板２２，２３面及び２８，２９面に対して予め定めた角度で斜めに立上がり配向させて駆動されるものであり、その駆動時の正面方向から見た表示はほとんど白、前記視野角方向、つまり斜めに立上がり配向した液晶分子の平均的な分子長軸方向に沿った方向から見た表示は黒である。
【００５１】
この実施例の液晶表示装置１０は、前記広視野角の画像表示用液晶表示素子１１と、一対の基板２２，２３間に、液晶分子を前記画像表示用液晶表示素子１１の法線方向に対して一方の方向に傾いた方向に視野角を有する配向状態に配向させた液晶層２４が設けられ、前記一対の基板２２，２３の内面それぞれに予め定めた形状の電極２５，２６が設けられた第１の視野角制限素子１２と、一対の基板２８，２９間に、液晶分子を前記画像表示用液晶表示素子１１の法線方向に対して前記第１の視野角制限素子１２の視野角とは反対方向に傾いた方向に視野角を有する配向状態に配向させた液晶層３０が設けられ、前記一対の基板２８，２９の内面それぞれに予め定めた形状の電極３１，３２が設けられた第２の視野角制限素子１３とを互いに重ねて配置することにより、前記画像表示用液晶表示素子１１の表示画像の視野角の範囲を、前記第１と第２の視野角制限素子１２，１３の電極２５，２６間及び３１，３２間への前記約１Ｖの一定値電圧の印加により広視野角から狭視野角に切換えるようにしたものである。
【００５２】
すなわち、この液晶表示装置１０は、前記第１と第２の視野角制限素子１２，１３の電極２５，２６間及び３１，３２間に電圧を印加しないとき、つまり前記第１と第２の視野角制限素子１２，１３の両方が無表示状態のとき（液晶分子が初期のツイスト配向状態にあるとき）は、前記第１と第２の視野角制限素子１２，１３は液晶表示装置１０の視野角に影響せず、したがって、前記画像表示用液晶表示素子１１の表示画像が広視野角で見える。
【００５３】
一方、前記第１と第２の視野角制限素子１２，１３の電極２５，２６間及び３１，３２間にそれぞれ前記約１Ｖの一定値電圧を印加すると、前記画像表示用液晶表示素子１１の法線方向に対して左方向に傾いた方向から見たときに、前記画像表示用液晶表示素子１１の表示画像が、前記左方向に傾いた方向に視野角を有する前記第１の視野角制限素子１２の黒表示により隠され、その反対方向、つまり前記画像表示用液晶表示素子１１の法線方向に対して右方向に傾いた方向から見たときに、前記画像表示用液晶表示素子１１の表示画像が、前記右方向に傾いた方向に視野角を有する前記第２の視野角制限素子１３の黒表示により隠されるため、前記左方向及び右方向に傾いた方向からは前記画像表示用液晶表示素子１１の表示画像を認識することができなくなり、前記表示画像の視野角の範囲が、前記画像表示用液晶表示素子１１の法線方向付近、つまり第１と第２の視野角制限素子１２，１３の表示がほとんど白に見える正面方向付近の狭い角度範囲になる。
【００５４】
そのため、この液晶表示装置１０によれば、前記画像表示用液晶表示素子１１の表示画像の視野角の範囲を広視野角と狭視野角とに切換えることができる。
【００５５】
図４は、前記液晶表示装置１０の第１と第２の視野角制限素子１２，１３の電極２５，２６間及び３１，３２間に電圧を印加しないときの正面方向（画像表示用液晶表示素子１１の法線付近の方向）と前記正面方向に対して左方向及び右方向に傾いた方向から見た表示例図、図５は、前記第１と第２の視野角制限素子１２，１３の電極２５，２６間及び３１，３２間に前記約１Ｖの一定値電圧を印加したときの正面方向と前記正面方向に対して左方向及び右方向に傾いた方向から見た表示例図であり、ここでは、前記画像表示用液晶表示素子１１に電子メールを表示させた例を示している。
【００５６】
図４のように、前記第１と第２の視野角制限素子１２，１３の電極２５，２６間及び３１，３２間に電圧を印加しないときは、前記画像表示用液晶表示素子１１の表示画像を、正面方向からも、前記正面方向に対して左方向及び右方向に傾いた方向からも認識することができ、したがって、前記表示画像を、複数人で見れるように広視野角で表示することができる。
【００５７】
また、この実施例では、前記第１と第２の視野角制限素子１２，１３を、前記液晶セル２１，２７の一対の基板２２，２３及び２８，２９の内面それぞれに、前記画像表示用液晶表示素子１１の画面全体に対応する形状の一枚膜状の電極２５，２６及び３１，３２を設けた構成としているため、前記第１と第２の視野角制限素子１２，１３の電極２５，２６間及び３１，３２間に前記約１Ｖの一定値電圧を印加したときは、図５のように、前記正面方向に対して左方向と右方向に傾いた方向から見たときに画面全体が黒表示ａになり、したがって、前記表示画像を、他人には見えないように狭視野角で表示することができる。
【００５８】
そして、この液晶表示装置１０は、前記第１の視野角制限素子１２の液晶層２４の液晶分子を、前記画像表示用液晶表示素子１１の法線方向に対して一方の方向（この実施例では左方向）に傾いた方向に視野角を有する配向状態に配向させ、前記第２の視野角制限素子１３の液晶層３０の液晶分子を、前記画像表示用液晶表示素子１１の法線方向に対して前記第１の視野角制限素子の視野角とは反対方向（この実施例では右方向）に傾いた方向に視野角を有する配向状態に配向させているため、前記第１及び第２の視野角制限素子１２，１３の基板内面の配向処理は簡単な一方向ラビングでよく、したがって容易に製造することができる。
【００５９】
また、この実施例の液晶表示装置１０は、上述したように、前記第１と第２の視野角制限素子１２，１３を、前記一対の基板２２，２３及び２８，２９の内面それぞれに、前記画像表示用液晶表示素子１１の画面全体に対応する形状の一枚膜状の電極２５，２６及び３１，３２を設けた構成としているため、前記一方の方向及び反対方向に傾いた方向からは前記画像表示用液晶表示素子１１の表示画像の全部を認識できない狭視野角表示を行なうことができる。
【００６０】
なお、前記第１と第２の視野角制限素子１２，１３の一対の基板２２，２３及び２８，２９の内面の電極２５，２６及び３１，３２は、前記画像表示用液晶表示素子１１の画面全体に対応する形状に限らず、前記画面の大部分の領域に対応する形状、例えば前記画面の周縁部を除く領域に対応する形状に形成してもよく、このようにすることにより、前記一方の方向及び反対方向に傾いた方向からは前記画像表示用液晶表示素子１１の表示画像の大部分を認識できない狭視野角表示を行なうことができる。
【００６１】
また、前記第１と第２の視野角制限素子１２，１３は、前記一対の基板２２，２３及び２８，２９の一方の内面に、前記画像表示用液晶表示素子１１の画面に対応する領域に分布させて形成された予め定めた形状の複数のパターン電極を設け、他方の基板の内面に、前記複数のパターン電極に対向する対向電極を設けた構成としてもよく、このようにすることにより、前記一方の方向及び反対方向に傾いた方向からは前記画像表示用液晶表示素子１１の表示画像を部分的にしか認識できない狭視野角表示を行なうことができる。
【００６２】
なお、前記複数のパターン電極は、極細のパターン電極接続線により互いに共通接続し、前記対向電極は、前記複数のパターン電極にそれぞれ対向する形状に形成してその各電極を極細の対向電極接続線により互いに共通接続するか、あるいは前記複数のパターン電極の分布領域全体に対向する一枚膜状に形状に形成すればよく、このようにすることにより、前記複数のパターン電極と前記対向電極との間に同時に一定値の電圧（約１Ｖの電圧）を印加することができる。
【００６３】
このように、前記第１と第２の視野角制限素子１２，１３を、一対の基板２２，２３及び２８，２９の一方の内面に複数のパターン電極を設け、他方の基板の内面に前記複数のパターン電極に対向する対向電極を設けた構成とする場合、前記第１の視野角制限素子１２の複数のパターン電極と、前記第２の視野角制限素子１３の複数のパターン電極は、実質的に同じパターンに形成しても、互いに異なるパターンに形成してもよい。
【００６４】
図６及び図７は、上記第１の実施例の変形例を示す、前記第１と第２の視野角制限素子１２，１３の電極２５，２６間及び３１，３２間に前記約１Ｖの一定値電圧を印加したときの正面方向と前記正面方向に対して左方向及び右方向に傾いた方向から見た表示例図である。
【００６５】
図６の変形例は、前記第１の視野角制限素子１２の複数のパターン電極と、前記第２の視野角制限素子１３の複数のパターン電極とをそれぞれ市松模様状に形成した例であり、この変形例では、前記第１と第２の視野角制限素子１２，１３の電極２５，２６間及び３１，３２間に前記一定値電圧を印加したときの正面方向に対して左方向及び右方向に傾いた方向から見た表示がそれぞれ、画像表示用液晶表示素子１１の表示画像が市松模様状の黒表示ｂにより部分的に隠された表示になる。
【００６６】
また、図７の変形例は、左方向に傾いた方向に視野角を有する第１の視野角制限素子１２の複数のパターン電極を英文字状に形成し、右方向に傾いた方向に視野角を有する第２の視野角制限素子１３の複数のパターン電極を市松模様状に形成した例であり、この変形例では、前記第１と第２の視野角制限素子１２，１３の電極２５，２６間及び３１，３２間に前記一定値電圧を印加したときの正面方向に対して左方向に傾いた方向から見た表示が、画像表示用液晶表示素子１１の表示画像が複数の英文字状の黒表示ｃにより部分的に隠された表示になり、右方向に傾いた方向から見た表示が、前記表示画像が市松模様状の黒表示ｂにより部分的に隠された表示になる。
【００６７】
また、上記第１の実施例では、画像表示用液晶表示素子１１の後側に左方向に傾いた方向に視野角を有する第１の視野角制限素子１２を配置し、その後側に右方向に傾いた方向に視野角を有する第２の視野角制限素子１３を配置しているが、前記第１と第２の視野角制限素子１２，１３は、そのいずれを前記画像表示用液晶表示素子１１に隣接させて配置してもよい。
【００６８】
さらに、前記第１と第２の視野角制限素子１２，１３は、前記画像表示用液晶表示素子１１の前側に配置してもよく、また、第１と第２の視野角制限素子１２，１３の一方を前記画像表示用液晶表示素子１１の前側に配置し、他方を前記画像表示用液晶表示素子１１の後側に配置してもよい。
【００６９】
（第２の実施形態）
図８及び図９はこの発明の第２の実施例を示しており、図８は液晶表示装置の一部分の断面図、図９は画像表示用液晶表示素子と第１及び第２の視野角制限素子の基板内面の配向処理方向と各偏光板の吸収軸の向きを示す図である。
【００７０】
この実施例の液晶表示装置１０ａは、広視野角の画像表示用液晶表示素子１１の前側（観察側）に、前記画像表示用液晶表示素子１１の法線方向に対して一方の方向（例えば左方向）に傾いた方向に視野角を有する第１の視野角制限素子１２と、前記画像表示用液晶表示素子１１の法線方向に対して前記第１の視野角制限素子１２の視野角とは反対方向（例えば右方向）に傾いた方向に視野角を有する第２の視野角制限素子１３とを互いに重ねて配置したものである。
【００７１】
すなわち、この液晶表示装置１０ａは、画像表示用液晶セル１４の前側に、前記第１及び第２の視野角制限用液晶セル２１，２７の一方、例えば第２の視野角制限用液晶セル２７を配置し、この第２の視野角制限用液晶セル２７の前側に、他方の視野角制限用液晶セル、つまり第１の視野角制限用液晶セル２１を配置し、前記第１の視野角制限用液晶セル２１の前側と、前記第１の視野角制限用液晶セル２１と第２の視野角制限用液晶セル２７との間と、前記第２の視野角制限用液晶セル２７と画像表示用液晶セル１４との間と、前記画像表示用液晶セル１４の後側とにそれぞれ第１〜第４の偏光板３３，３４，３５，３６を配置したものであり、前記画像表示用液晶表示素子１１は、前記画像表示用液晶セル１４と、その前側と後側に配置された前記第３と第４の偏光板３５，３６とにより構成され、前記第１の視野角制限素子１２は、前記第１の視野角制限用液晶セル２１と、その前側と後側に配置された前記第１と第２の偏光板３３，３４とにより構成され、前記第２の視野角制限素子１３は、前記第２の視野角制限用液晶セル２７と、その前側と後側に配置された前記第２と第３の偏光板３４，３５とにより構成されている。
【００７２】
なお、前記画像表示用液晶セル１４と前記第１及び第２の視野角制限用液晶セル２１，２７は、上記第１の実施例と同じものであり、前記第１〜第４の偏光板３３，３４，３５，３６は、前記画像表示用液晶表示素子１１と前記第１と第２の視野角制限素子１２，１３をそれぞれノーマリーホワイトモードとするために、吸収軸３３ａ，３４ａ，３５ａ，３６ａを図９に示した方向に向けて配置されている。
【００７３】
この実施例の液晶表示装置１０ａは、前記第１と第２の視野角制限素子１２，１３を前記画像表示用液晶表示素子１１の前側に配置したものであるが、基本的な構成は上記第１の実施例と同じであり、したがって、第１の実施例と同じ効果を得ることができる。
【００７４】
（第３の実施形態）
図１０〜図１２はこの発明の第３実施例を示しており、図１０は液晶表示装置の一部分の断面図、図１１は画像表示用液晶表示素子と視野角制限素子の基板内面の配向処理方向と各偏光板の吸収軸の向きを示す図である。
【００７５】
この実施例の液晶表示装置１０ｂは、広視野角の画像表示用液晶表示素子１１の後側（観察側とは反対側）に、間隙を存して対向する一対の透明基板２２，２３間に、液晶分子を前記画像表示用液晶表示素子１１の法線方向に対して一方の方向、例えば左方向に傾いた方向に視野角を有し、且つその方向とは反対方向に傾いた方向に沿った透過光を着色する配向状態に配向させた液晶層２４が設けられ、前記一対の基板の互いに対向する内面それぞれに、予め定めた形状の透明電極２５，２６が設けられた視野角制限素子１２ａを重ねて配置したものである。
【００７６】
すなわち、この液晶表示装置１０ｂは、上記第１及び第２の実施例と同じ構成の画像表示用液晶セル１４と、液晶層２４の液晶分子を前記配向状態に配向させた視野角制限用液晶セル２１ａと、前記画像表示用液晶セル１４の前側に配置された第１の偏光板３３と、前記画像表示用液晶セル１４と視野角制限用液晶セル２１ａとの間に配置された第２の偏光板３４と、前記視野角制限用液晶セル２１ａの後側に配置された第３の偏光板３５とからなっており、前記画像表示用液晶表示素子１１は、前記画像表示用液晶セル１４と、その前側と後側に配置された前記第１と第２の偏光板３３，３４とにより構成され、前記視野角制限素子１２ａは、前記第１の視野角制限用液晶セル２１ａと、その前側と後側に配置された前記第２と第３の偏光板３４，３５とにより構成されている。
【００７７】
前記視野角制限用液晶セル２１ａは、上記第１及び第２の実施例の第１の視野角制限用液晶セル２１と実質的に同じ構成のものである。
【００７８】
すなわち、前記視野角制限用液晶セル２１ａは、図１１にその一対の基板２２，２３の配向処理方向２２ａ，２３ａを示したように、前側基板２２の内面を、前記画像表示用液晶表示素子１１の画面の横軸（図示せず）に対して前側から見て前記画面の右下方向に略４５°ずれた方向（画像表示用液晶セル１４の後側基板１６の配向処理方向１６ａと実質的に同じ方向）に配向処理され、後側基板２３の内面を、前記画面の横軸に対して観察側から見て前記画面の左下方向に略４５°ずれた方向に配向処理されており、この視野角制限用液晶セル２１ａの液晶層２４の液晶分子は、そのツイスト方向を図１１に円弧矢印で示したように、前記画面の左下方向から左上方向に向かって実質的に９０°の捩れ角でツイスト配向している。
【００７９】
そのため、前記視野角制限素子１２ａは、前記画面の正面方向、つまり前記画像表示用液晶表示素子１１の法線方向に対して観察側から見て左方向に傾いた方向に視野角を有している。
【００８０】
また、この視野角制限素子１２ａのΔｎｄの値は、上記第１及び第２の実施例の視野角制限素子１２，１３と同様に、前記画像表示用液晶表示素子１１のΔｎｄよりも大きい値、例えば前記画像表示用液晶表示素子１１のΔｎｄの約１．１〜４倍の値、つまり５００〜２０００ｎｍ、好ましくは約１０００ｎｍに設定されている。
【００８１】
この視野角制限素子１２ａは、前記視野角制限用液晶セル２１ａの電極２５，２６間に約２Ｖの電圧を印加したときに正面方向から見た表示が黒（極めて暗い青）になる。
【００８２】
前記視野角制限素子１２ａは、例えば図１に示した携帯電話機の蓋体２または電話機本体１に設けられた視野角選択キー７により広視野角が選択されたときに、図示しない視野角切換用駆動回路により、前記視野角制限用液晶セル２１，２７の電極２５，２６間に、正面方向から見て黒を表示する電圧（約２Ｖ）の１／２程度、つまり約１Ｖに設定された一定値の電圧を印加して駆動されるものであり、前記電極２５，２６間に前記約１Ｖの一定値電圧を印加し、液晶分子を基板２２，２３面及び２８，２９面に対して予め定めた角度で斜めに立上がり配向させたときの正面方向から見た表示はほとんど白、前記視野角方向、つまり斜めに立上がり配向した液晶分子の平均的な分子長軸方向に沿った方向から見た表示は黒であり、正面方向に対して前記視野角方向とは反対方向に傾いた方向から見た表示は、その方向に沿った透過光が視野角制限素子１２ａのΔｎｄの波長依存性により着色された例えばオレンジ色（暗い青の補色）の表示である。
【００８３】
また、この実施例では、前記視野角制限素子１２ａを、前記視野角制限用液晶セル２１ａの一対の基板２２，２３の一方、例えば前側基板２２の内面に、前記画像表示用液晶表示素子１１の画面に対応する領域に分布させて形成された予め定めた形状の複数のパターン電極２５ａを設け、他方の基板、つまり後側基板２３の内面に、前記複数のパターン電極２５ａに対向する対向電極２６ａを設けた構成としている。
【００８４】
なお、前記視野角制限用液晶セル２１ａの一方の基板２２の内面に設けられた前記複数のパターン電極２５ａは、図示しない極細のパターン電極接続線により互いに共通接続されており、他方の基板２３の内面に設けられた前記対向電極２６ａは、前記複数のパターン電極２５ａにそれぞれ対向する形状に形成されてその各電極を極細の対向電極接続線により互いに共通接続されるか、あるいは前記複数のパターン電極２５ａの分布領域全体に対向する一枚膜状に形状に形成されている。
【００８５】
また、前記第１〜第３の偏光板３３，３４，３５は、前記画像表示用液晶表示素子１１と前記視野角制限素子１２ａをそれぞれノーマリーホワイトモードとするために、吸収軸３３ａ，３４ａ，３５ａを図１１に示した方向に向けて配置されている。
【００８６】
この実施例の液晶表示装置１０ｂは、広視野角の画像表示用液晶表示素子１１と、一対の基板２２，２３間に、液晶分子を前記画像表示用液晶表示素子１１の法線方向に対して一方の方向に傾いた方向に視野角を有し、且つその方向とは反対方向に傾いた方向に沿った透過光を着色する配向状態に配向させた液晶層２４が設けられ、前記一対の基板２２，２３の互いに対向する内面それぞれに、予め定めた形状の電極２５ａ，２６ａが設けられた視野角制限素子１２ａとを互いに重ねて配置することにより、前記画像表示用液晶表示素子１１の表示画像の視野角を、前記視野角制限素子１２ａの電極２５ａ，２６ａ間への前記約１Ｖの一定値電圧の印加により広視野角から狭視野角に切換えるようにしたものである。
【００８７】
すなわち、この液晶表示装置１０ｂは、前記視野角制限素子１２ａの電極２５ａ，２６ａ間に電圧を印加しないとき、つまり前記視野角制限素子１２ａが無表示状態（液晶分子が初期のツイスト配向状態にあるとき）は、前記視野角制限素子１２ａは液晶表示装置１０ｂの視野角に影響せず、したがって、図４に示した第１の実施例の表示と同様に、前記画像表示用液晶表示素子１１の表示画像が広視野角で見える。
【００８８】
一方、前記視野角制限素子１２ａの電極２５ａ，２６ａ間に前記約１Ｖの一定値電圧を印加すると、前記画像表示用液晶表示素子１１の法線方向に対して左方向に傾いた方向から見たときに、前記画像表示用液晶表示素子の表示画像が、前記左方向に傾いた方向に視野角を有する前記視野角制限素子１２ａの黒表示により隠され、その反対方向、つまり右方向に傾いた方向から見たときに、前記画像表示用液晶表示素子１１の表示画像が、前記視野角制限素子１２ａを透過して前記オレンジ色に着色した光により、その色のカラーフィルタを重ねて見たときと同様に隠されるため、前記左方向及び右方向に傾いた方向からは前記画像表示用液晶表示素子１１の表示画像を認識することができなくなり、前記表示画像の視野角が、前記画像表示用液晶表示素子１１の法線方向付近の狭い角度範囲になる。
【００８９】
図１２は、前記視野角制限素子１２ａの複数のパターン電極２５ａを英文字状に形成した液晶表示装置１０ｂにおける前記視野角制限素子１２ａの電極２５ａ，２６ａ間に前記約１Ｖの一定値電圧を印加したときの正面方向と前記正面方向に対して左方向及び右方向に傾いた方向から見た表示例図であり、ここでは、前記画像表示用液晶表示素子１１に電子メールを表示させた例を示している。
【００９０】
図１２のように、この液晶表示装置１０ｂは、前記視野角制限素子１２ａの電極２５ａ，２６ａ間に前記一定値電圧を印加したときの正面方向に対して左方向に傾いた方向から見た表示が、画像表示用液晶表示素子１１の表示画像が複数の英文字状の黒表示ｅにより部分的に隠された表示になり、右方向に傾いた方向から見た表示が、前記表示画像が前記複数の英文字状の着色表示ｆにより部分的に隠されたような表示になり、したがって、前記表示画像を、他人には見えないように狭視野角で表示することができる。
【００９１】
そして、この液晶表示装置１０ｂは、前記視野角制限素子１２ａの液晶層２４の液晶分子を、前記画像表示用液晶表示素子１１の法線方向に対して一方の方向（この実施例では左方向）に傾いた方向に視野角を有する配向状態に配向させているため、前記視野角制限素子１２ａの基板内面の配向処理は簡単な一方向ラビングでよく、したがって容易に製造することができる。
【００９２】
なお、上記第３の実施例では、前記視野角制限素子１２ａを、一方の基板（前側基板）２２の内面に、前記画像表示用液晶表示素子１１の画面に対応する領域に分布させて形成された予め定めた形状の複数のパターン電極２５ａを設け、他方の基板（後側基板）２３の内面に、前記複数のパターン電極２５ａに対向する対向電極２６ａを設けた構成としているが、前記視野角制限素子１２ａは、前記一対の基板２２，２３の内面それぞれに、前記画像表示用液晶表示素子１１の画面全体または前記画面の大部分の領域に対応する形状の一枚膜状の電極を設けた構成としてもよく、このようにすることにより、前記左方向及び右方向に傾いた方向からは前記画像表示用液晶表示素子１１の表示画像の全部または大部分を認識できない狭視野角表示を行なうことができる。
【００９３】
図１３は、上記第３の実施例の変形例を示す、前記視野角制限素子１２ａの電極２５，２６間に前記約１Ｖの一定値電圧を印加したときの正面方向と前記正面方向に対して左方向及び右方向に傾いた方向から見た表示例図である。
【００９４】
この変形例は、前記視野角制限素子１２ａの一対の基板２２，２３の内面それぞれに、前記画像表示用液晶表示素子１１の画面全体に対応する形状の一枚膜状の電極を設けたものであり、この変形例によれば、前記視野角制限素子１２ａの電極間に前記約１Ｖの一定値電圧を印加したときの正面方向に対して左方向に傾いた方向から見た表示を画面全体にわたる黒表示ｇとし、正面方向に対して右方向に傾いた方向から見た表示を、前記画像表示用液晶表示素子１１の表示画像が画面全体にわたる着色表示ｈにより隠された表示にすることができる。
【００９５】
なお、上記第３の実施例の液晶表示装置１０ｂは、正面方向、つまり前記画像表示用液晶表示素子１１の法線方向に対して左方向に傾いた方向に視野角を有する視野角制限素子１２ａを備えたものであるが、前記画像表示用液晶表示素子１１に重ねて配置する視野角制限素子は、反対方向に傾いた方向に視野角を有する視野角制限素子、つまり、液晶層の液晶分子を、前記画像表示用液晶表示素子１１の法線方向に対して右方向に傾いた方向に視野角を有し、且つその方向とは反対方向（左方向）に傾いた方向に沿った透過光を着色する配向状態に配向させた視野角制限用液晶セルを備えたものでもよく、その場合は、前記視野角制限素子の電極間に前記約１Ｖの一定値電圧を印加したときに、前記画像表示用液晶表示素子１１の法線方向に対して右方向に傾いた方向から見た表示が、前記画像表示用液晶表示素子の表示画像が前記視野角制限素子の黒表示により隠された表示になり、その反対方向、つまり左方向に傾いた方向から見た表示が、前記表示画像が前記視野角制限素子を透過して着色した光により隠された表示になる。
【００９６】
また、上記第３の実施例では、前記画像表示用液晶表示素子１１の後側に視野角制限素子１２ａを重ねて配置しているが、前記視野角制限素子１２ａは、前記画像表示用液晶表示素子１１の前側に重ねて配置してもよい。
【００９７】
（第４の実施形態）
図１４及び図１５はこの発明の第４の実施例を示しており、図１４は液晶表示装置の一部分の断面図、図１５は画像表示用液晶表示素子と視野角制限素子の基板内面の配向処理方向と各偏光板の吸収軸の向きを示す図である。
【００９８】
この実施例の液晶表示装置１０ｃは、広視野角の画像表示用液晶表示素子１１の前側（観察側）に、前記画像表示用液晶表示素子１１の法線方向に対して一方の方向に傾いた方向に視野角を有する視野角制限素子１２ａを重ねて配置したものである。
【００９９】
すなわち、この液晶表示装置１０ｃは、画像表示用液晶セル１４の前側に、一対の基板２２，２３間に、液晶分子を前記画像表示用液晶表示素子１１の法線方向に対して一方の方向、例えば左方向に傾いた方向に視野角を有し、且つその方向とは反対方向に傾いた方向に沿った透過光を着色する配向状態に配向させた液晶層２４が設けられ、前記一対の基板の互いに対向する内面それぞれに、予め定めた形状の透明電極が設けられた視野角制限用液晶セル２１ａを配置し、前記視野角制限用液晶セル２１ａの前側と、前記視野角制限用液晶セル２１ａと前記画像表示用液晶セル１４との間と、前記画像表示用液晶セル１４の後側とにそれぞれ第１〜第３の偏光板３３，３４，３５を配置したものであり、前記画像表示用液晶表示素子１１は、前記画像表示用液晶セル１４と、その前側と後側に配置された前記第２と第３の偏光板３４，３５とにより構成され、前記視野角制限素子１２ａは、前記視野角制限用液晶セル２１ａと、その前側と後側に配置された前記第１と第２の偏光板３３，３４とにより構成されている。
【０１００】
なお、前記画像表示用液晶セル１４と前記視野角制限用液晶セル２１ａは、上記第３の実施例と同じものであり、前記第１〜第３の偏光板３３，３４，３５は、前記画像表示用液晶表示素子１１と前記視野角制限素子１２ａをそれぞれノーマリーホワイトモードとするために、吸収軸３３ａ，３４ａ，３５ａを図１５に示した方向に向けて配置されている。
【０１０１】
この実施例の液晶表示装置１０ｃは、前記視野角制限素子１２ａを前記画像表示用液晶表示素子１１の前側に配置したものであるが、基本的な構成は上記第３の実施例の液晶表示装置１０ｂと同じであり、したがって、第３の実施例と同じ効果を得ることができる。
【０１０２】
（他の実施形態）
なお、上述した第１〜第４の実施例の液晶表示装置１０，１０ａ，１０ｂ，１０ｃは、ノーマリーホワイトモードの画像表示用液晶表示素子１１を備えたものであるが、画像表示用液晶表示素子は、その前後の偏光板の吸収軸を実質的に互いに平行にしたノーマリーブラックモードの表示素子でもよい。
【０１０３】
また、前記画像表示用液晶表示素子は、ＴＮ型に限らず、他の形式の広視野角液晶表示素子、例えば、液晶分子を実質的に基板面に対して垂直に配向させ、一対の基板の内面に設けられた電極間への電圧の印加により倒れ配向させる垂直配向型液晶表示素子や、液晶分子を分子長軸を一方向に揃えてホモジニアス配向させ、一対の基板の内面に設けられた電極間への電圧の印加により立上がり配向させる非ツイストのホモジニアス配向型液晶表示素子等でもよく、この場合、画像表示用液晶表示素子のΔｎｄの値は、λ／２（λは、可視光帯域の中間波長）に設定され、例えば２４５〜３０５ｎｍ、好ましくは２７５ｎｍである。
【０１０４】
さらに、第１〜第４の実施例の液晶表示装置１０，１０ａ，１０ｂ，１０ｃは、ＴＮ型の視野角制限素子１２，１３，１２ａを備えたものであるが、視野角制限素子は、間隙を存して対向する一対の基板間に、液晶分子を前記画像表示用液晶表示素子の法線方向に対して一方の方向に傾いた方向に視野角を有する配向状態に配向させた液晶層が設けられ、前記一対の基板の互いに対向する内面それぞれに、予め定めた形状の電極が設けられたものであれば、ＴＮ型に限らず、他の形式の液晶表示素子でもよい。
【０１０５】
また、この発明の液晶表示装置は、図１に示した携帯電話機に限らず、他の表示部を有する電子機器等にも利用することができる。
【図面の簡単な説明】
【０１０６】
【図１】液晶表示装置を備えた電子機器の正面図。
【図２】この発明の第１の実施例を示す液晶表示装置の一部分の断面図。
【図３】第１の実施例における画像表示用液晶表示素子と第１及び第２の視野角制限素子の基板内面の配向処理方向と各偏光板の吸収軸の向きを示す図。
【図４】第１の実施例における第１と第２の視野角制限素子の電極間に電圧を印加しないときの正面方向と左方向及び右方向に傾いた方向から見た表示例図。
【図５】第１の実施例における第１と第２の視野角制限素子の電極間に電圧を印加したときの正面方向と左方向及び右方向に傾いた方向から見た表示例図
【図６】第１の実施例の変形例を示す第１と第２の視野角制限素子の電極間に電圧を印加したときの正面方向と左方向及び右方向に傾いた方向から見た表示例図。
【図７】第１の実施例の他の変形例を示す第１と第２の視野角制限素子の電極間に電圧を印加したときの正面方向と左方向及び右方向に傾いた方向から見た表示例図。
【図８】この発明の第２の実施例を示す液晶表示装置の一部分の断面図。
【図９】第２の実施例における画像表示用液晶表示素子と第１及び第２の視野角制限素子の基板内面の配向処理方向と各偏光板の吸収軸の向きを示す図。
【図１０】この発明の第３実施例を示す液晶表示装置の一部分の断面図。
【図１１】第３の実施例における画像表示用液晶表示素子と視野角制限素子の基板内面の配向処理方向と各偏光板の吸収軸の向きを示す図。
【図１２】第３の実施例における視野角制限素子の電極間に電圧を印加したときの正面方向と左方向及び右方向に傾いた方向から見た表示例図。
【図１３】第３の実施例の変形例を示す視野角制限素子の電極間に電圧を印加したときの正面方向と左方向及び右方向に傾いた方向から見た表示例図。
【図１４】この発明の第４の実施例を示す液晶表示装置の一部分の断面図。
【図１５】第４の実施例における画像表示用液晶表示素子と視野角制限素子の基板内面の配向処理方向と各偏光板の吸収軸の向きを示す図。
【符号の説明】
【０１０７】
１０，１０ａ，１０ｂ、１０ｃ…液晶表示装置、１１…画像表示用液晶表示素子、１２，１３，１２ａ…視野角制限素子、１４…画像表示用液晶セル、１５，１６…基板、１５ａ，１６ａ…配向処理方向、１７…液晶層、１８，１９…電極、２０Ｒ，２０Ｇ，２０Ｂ…カラーフィルタ、２１，２７，２１ａ…視野角制限用液晶セル、２２，２３，２８，２９…基板、２２ａ，２３ａ，２８ａ，２９ａ…配向処理方向、２４，３０…液晶層、２５，２６，３１，３２…電極、３３，３４，３５，３６…偏光板。
【図１】
2006330164.tif 000003
【図２】
2006330164.tif 000004
【図３】
2006330164.tif 000005
【図４】
2006330164.tif 000006
【図５】
2006330164.tif 000007
【図６】
2006330164.tif 000008
【図７】
2006330164.tif 000009
【図８】
2006330164.tif 000010
【図９】
2006330164.tif 000011
【図１０】
2006330164.tif 000012
【図１１】
2006330164.tif 000013
【図１２】
2006330164.tif 000014
【図１３】
2006330164.tif 000015
【図１４】
2006330164.tif 000016
【図１５】
2006330164.tif 000017